(57)【要約】【課題】先行技術に於ける計量装置では放出量の精度に課題がある。【解決手段】筒状のフォルダーの充填口は、容器蓋に設けた開口部と重合し容器内部と連通し、充填口と対面する位置に設けた放出口は、容器外部と連通し、フォルダーの一端の筒口に終端プラグを固着し、該終端プラグの先端に装着した回転板面は、充填口と放出口の端辺を結んだ面と同一面で、計量枡の側壁と成り、仕切板との間の中空部分が計量枡と成る、フォルダー内に摺動及び回転可能で且つフォルダー内面と密接に嵌め込まれた筒状の計量体の枡口が充填口と重合する状態で、計量枡内部と容器内部は連通し、内容物を正確に充填計量する事が出来、計量体を約９０度回転させると計量枡内部と容器内部との連通は遮断され計量された内容物は封入状態と成り、更に計量体を９０度回転させると枡口が放出口と重合し、計量枡に封入された内容物を確実に放出する事が出来き、然も計量体の差込具合で計量枡容量を増減出来る。【選択図】図１
2011237396.tif 000002
【特許請求の範囲】
【請求項１】
容器蓋天板に組み付けたフレームに内設した筒状のフォルダー周壁の対面する位置に設けた充填口と放出口は、容器蓋天板に設けた開口部と同寸法で、前記充填口は容器蓋天板の開口部と重合し容器内部と連通し、前記放出口は容器外部と連通し、フォルダーの円柱状の中空部分はフレーム側端に貫通する構造で、フォルダーの一端の筒口は計量体の差込口と成り、反対側の筒口に終端プラグを固着し、其の終端プラグからフォルダー内部に突出した円柱状の胴体の先端に回転板を装着し、其の回転板面は、前記充填口と放出口の端辺を結んだ面と同一面で、計量枡の側壁と成る、筒状の計量体には、其の管長の中程の内部に計量枡の側壁と成る仕切板を設け、計量体の周壁には仕切板から管端に向け、前記充填口と同寸法の開口を施し、計量体の外径はフォルダーの内径より僅か細めで、フォルダー内に摺動、及び回転可能で、且つ密接に差し込むことが出来、前記終端プラグの胴体の外周、及び回転板の外周とフォルダー周壁の内面との隙間にも、計量体の管端を摺動、及び回転可能で、且つ密接に差込む事が出来る構造で、計量体の管長はフォルダーの中空部分の深さより僅か長めで、フォルダー内に計量体を差し込み、其の管端がフォルダーの最奥部に達した時、フォルダー外部に残余する管端部分をダイヤル状に加工して操作ダイヤルとし、計量体周壁の外面で、前記操作ダイヤルと仕切板の中間位置に、其の溝幅が計量体の摺動幅と成り、フォルダー周壁の一部を弾性構造とした部分の先端部に設けた誘導ピンと一対と成る誘導溝を設け、フォルダー内に計量体を差し込み、其の計量体の管端がフォルダー内の最奥部に達し、計量体の誘導溝幅の最奥端で誘導溝底と誘導ピン先端に設けた小溝と小峰が噛み合う状態から、計量体を引き抜く方向に摺動させ誘導溝端で誘導溝底と誘導ピン先端に設けた小溝と小峰が噛み合う状態まで計量体を摺動させる事が出来、計量体の枡口が充填口と対面する状態で、計量枡内部と容器内部は連通状態と成り、計量体を約９０度回転させると計量枡内部と容器内部との連通は遮断され、枡口はフォルダー周壁で完全に封鎖され、更に計量体を約９０度回転させると枡口が放出口と重合し、計量枡内部と容器外部が連通状態と成る、上記構造の、フォルダーに計量体を嵌合して構成される簡易計量装置。
【発明の詳細な説明】
【技術分野】
【０００１】本発明は、粉末、又は顆粒状の内容物を計量して取り出す為に、容器の蓋等に組み付けて使用する簡易計量装置である。
【背景技術】
【０００２】従来、容器の内容物を適量、取り出す為には計量カップ、又はスプーン等で計量して取り出していた。【０００３】また、下記先行技術文献に依る計量装置を使用する方法がある。
【先行技術文献】
【特許文献】
【０００４】特開平１０−０３５７１２
【非特許文献】
【０００５】特開平１１−５９７５１
【発明の概要】
【発明が解決しようとする課題】
【０００６】上記先行技術文献に於ける計量装置では解決出来なかった放出量の精度を高め、正確な分量で迅速に計量し確実に放出が出来き、然も計量枡容量を大幅に増減できる簡易計量装置を提供する。
【課題を解決するための手段】
【０００７】本発明は、容器蓋天板に組み付けた簡易計量装置であって、フレームに内設した筒状フォルダー周壁の対面する位置に設けた充填口と放出口は、容器蓋天板に設けた開口部と同寸法で、前記充填口は容器蓋天板の開口部と重合し容器内部と連通し、前記放出口は容器外部と連通し、フォルダーの円柱状の中空部分はフレーム側端に貫通する構造で、フォルダーの一端の筒口は計量体の差込口と成り、反対側の筒口に終端プラグを固着し、該終端プラグからフォルダー内部に突出した円柱状の胴体の先端に回転板を装着し、其の回転板面は、前記充填口と放出口の端辺を結んだ面と同一面で計量枡の側壁と成る。【０００８】筒状の計量体には、其の管長の中程の内部に計量枡の側壁と成る仕切板を設け、計量体の周壁には仕切板から管端に向け、前記充填口と同寸法の開口を施し、計量体の外径はフォルダーの内径より僅か細めで、フォルダー内に摺動、及び回転可能で且つ密接に差し込むことが出来、前記終端プラグの胴体の外周、及び回転板の外周とフォルダー周壁の内面との隙間にも、計量体の管端を摺動、及び回転可能で、且つ密接に差込む事が出来る構造である。【０００９】計量体の管長はフォルダーの中空部分の深さより僅か長めで、フォルダー内に計量体を差し込み、其の管端がフォルダーの最奥部に達した時、フォルダー外部に残余する管端部分をダイヤル状に加工して操作ダイヤルとし、計量体周壁の外面で、前記操作ダイヤルと仕切板の中間位置に、其の溝幅が計量体の摺動幅と成る誘導溝を設け、其の誘導溝はフォルダー周壁の一部を弾性構造とした部分の先端部に設けた誘導ピンと一対と成る。【００１０】フォルダー内に計量体を差し込み、其の計量体の管端がフォルダー内の最奥部に達し、計量体の誘導溝幅の最奥端で誘導溝底と誘導ピン先端に設けた小溝と小峰が噛み合う状態から、計量体を引き抜く方向に摺動させ誘導溝端で誘導溝底と誘導ピン先端に設けた小溝と小峰が噛み合う状態まで計量体を摺動させる事が出来る。【００１１】計量体の枡口が充填口と対面する状態で、計量枡内部と容器内部は連通状態と成り、計量体を約９０度回転させると計量枡内部と容器内部との連通は遮断され、更に計量体を９０度回転させると枡口が放出口と重合する、上記構造の、フォルダーに計量体を嵌合して構成される簡易計量装置を提供する。
【発明の効果】
【００１２】本発明の、簡易計量装置は、簡素な構造で計量枡容量の増減幅を広くでき、又計量枡容量を、誘導溝底の小溝の本数に応じて段階的に細かく設定する事が出来る。【００１３】計量枡内部が容器内部と連通する状態で、計量枡に内容物を確実に充填出来る事に依り、正確な計量が出来、計量体を約９０度回転させると、計量枡内部と容器内部との連通は遮断され、枡口はフォルダー周壁で封鎖される事に依り、計量された内容物は確実に保持され、更に計量体を約９０度回転させると、計量枡内部が容器外部と連通状態と成り、計量保持された内容物を確実に放出できる。【００１４】簡易計量装置を組み付けた内容物入りの容器を上下逆さまにし、取出容器の上で「計量」から「放出」の操作をするだけで、又内容物を複数の容器に取出す場合は、内容物入りの容器を逆さまにした侭、次の取出容器の上に移動して「計量」から「放出」の操作をし、順次繰り返すだけの簡単な操作で、迅速に内容物を取り出すことが出来る。
【図面の簡単な説明】
【００１５】
【図１】枡容量が「少量」で操作ダイヤルが「計量」の位置での立面断面図である。
【図２】枡容量が「少量」で操作ダイヤルが「計量」の位置での平面断面図である。
【図３】枡容量が「多量」で操作ダイヤルが「放出」の位置での立面断面図である。
【図４】枡容量が「多量」で操作ダイヤルが「放出」の位置での平面図である。
【図５】操作ダイヤルが「放出」の位置での側面図である。
【図６】操作ダイヤルが「計量」の位置での枡部断面状態図である。
【図７】枡容量が「少量」で計量中の操作図である。
【図８】枡部が封鎖状態の断面状態図である。
【図９】内容物を計量枡に封入状態時の操作図である。
【図１０】操作ダイヤルが「放出」の位置での枡部断面状態図である。
【図１１】枡容量が「少量」で放出中の操作図である。
【発明を実施するための形態】
【００１６】以下、本発明の詳細を図１から図１１に基づいて説明する。
【００１７】図１の様に容器蓋（２）天板に組み付けたフレーム（３）に内設したフォルダー（４）は筒状で、該フォルダー（４）周壁の対面する位置に設けた充填口（１１）と放出口（１２）は、容器蓋（２）天板に設けた開口部（１４）と同寸法で、前記充填口（１１）と容器蓋（２）天板の開口部（１４）とは重合して容器内部と連通し、前記放出口（１２）は容器外部と連通し、フォルダー（４）の円柱状の中空部分はフレーム（３）側端に貫通する構造である。
【００１８】前記フォルダー（４）の一端の筒口は計量体（５）の差込口と成り、反対側の筒口に終端プラグ（６）を固着し、其の終端プラグ（６）からフォルダー（４）内部に突出した円柱状の胴体の先端に回転板（７）を装着し、其の回転板面（１５）は前記充填口（１１）と放出口（１２）の端辺を結んだ面と同一面で計量枡（１０）の側壁と成る。
【００１９】筒状の計量体（５）には、其の管長の中程の内部に計量枡（１０）の側壁と成る仕切板（８）を設け、計量体（５）の周壁には仕切板（８）から管端に向け、前記充填口（１１）と同寸法の開口を施し、計量体（５）の、外径はフォルダー（４）の内径より僅か細めで、フォルダー（４）内に摺動及び回転可能で、且つ密接に差し込むことが出来、前記終端プラグ（６）の胴体の外周、及び回転板（７）の外周とフォルダー（４）周壁の内面との隙間にも、計量体（５）の管端を摺動及び回転可能で、且つ密接に差込む事が出来る構造である。
【００２０】計量体（５）の管長はフォルダー（４）の中空部分の深さより僅か長めで、フォルダー（４）内に計量体（５）を差し込み、其の管端がフォルダー（４）の最奥部に達した時、フォルダー（４）外部に残余する管端部分が、ダイヤル状に加工された操作ダイヤル（９）と成り、該操作ダイヤルで計量体（５）を回転させ内容物の充填計量及び放出が出来る。
【００２１】計量体周壁の外面で前記操作ダイヤル（９）と仕切板（８）の中間位置に誘導溝（１６）を設け、其の誘導溝（１６）は図２の様にフォルダー（４）周壁の一部を弾性構造とした部分の先端部に設けた誘導ピン（１７）と一対と成る、其の誘導溝（１６）幅は計量体の摺動幅と成り、計量枡容量の増減幅と成る、其の誘導溝（１６）の長さは計量体の回転幅と成り、内容物の充填計量から放出までの操作範囲を制限する事が出来る。
【００２２】前記計量体（５）の管端が、前記終端プラグ（６）胴体の外周、及び回転板（７）の外周とフォルダー（４）周壁の内面との隙間に入り、計量体（５）の誘導溝（１６）幅の範囲内で、誘導溝（１６）底と誘導ピン（１７）先端に設けた小溝と小峰が噛み合った状態で、計量体（５）内部に設けた仕切板（８）面と終端プラグ（６）先端の回転板面（１５）との間で形成される中空部分が計量枡（１０）と成る。
【００２３】計量体（５）を摺動させ、其の計量体（５）の管端が、フォルダー（４）内の最奥部に達した状態で、図２の様に計量体（５）の誘導溝（１６）幅の最奥端で誘導溝（１６）底と誘導ピン（１７）先端に設けた小溝と小峰が噛み合い、計量枡（１０）の容量は最小と成り、計量体（５）をフォルダー（４）から引き抜く方向に摺動させ、誘導溝（１６）幅の範囲内の任意の位置で誘導溝（１６）底と誘導ピン（１７）先端の小溝と小峰を噛み合わせると、計量枡（１０）の容量が任意の量と成り、更に計量体（５）をフォルダー（４）から引き抜く方向に摺動させ、誘導溝（１６）幅の端で誘導溝（１６）底と誘導ピン（１７）先端の小溝と小峰が噛み合う位置で計量枡（１０）の容量は図３の様に最大と成る。
【００２４】計量体（５）の周壁に設けた開口部の寸法は、前記フォルダー（４）の充填口（１１）と同寸法で、前記仕切板（８）面と終端プラグ（６）先端の回転板（７）面との間で枡口（１３）が形成され、該枡口（１３）は計量体（５）の摺動に依る計量枡（１０）容量の増減に伴い可変となり、計量枡（１０）容量が最大のとき枡口（１３）は最大と成る。
【００２５】前記枡口（１３）が充填口（１１）と対面する状態で、図６の様に計量枡（１０）内部と容器内部は連通状態と成り内容物を充填計量する事が出来、計量体（５）を約９０度回転させると図８の様に計量枡（１０）内部と容器内部との連通状態は遮断され枡口（１３）はフォルダー（４）周壁で封鎖され、計量された内容物は計量枡（１０）内に封入された状態と成り、更に計量体（５）を約９０度回転させると図１０の様に枡口（１３）が放出口（１２）と重合し、計量枡（１０）の内容物を放出することが出来る。
【実施例】
【００２６】簡易計量装置の操作ダイヤル（９）を「調整」の位置に合わせた状態で計量体（５）を摺動させ、計量枡（１０）容量を、「少量」から「多量」の間で希望の位置に合わせ、簡易計量装置を組み付けた内容物入りの容器を図７の様に上下逆さまにし、カップ等の取出容器の上で操作ダイヤル（９）を「計量」の位置に合わせ、図６の様に枡口（１３）と充填口（１１）が重合し、計量枡（１０）内部と容器内部が連通した状態で、内容物を充填計量し、操作ダイヤルを「放出」の位置に合わせ、図１０の様に枡口（１３）と放出口（１２）が重合し、計量枡（１０）内部と容器外部が連通した状態で、計量枡（１０）の内容物をカップ等の取出容器に放出する。
【産業上の利用可能性】
【００２７】粉末、又は顆粒状のミルク、インスタントコーヒー、シュガー等の計量取出し、粉末、又は顆粒状の洗剤等の計量取出し、粉末、又は顆粒状の薬剤等の計量取出しに利用出来る。
【符号の説明】
【００２８】  １．計量装置部
２．容器蓋部
３．フレーム
４．フォルダー
５．計量体
６．終端プラグ
７．回転板
８．仕切板
９．操作ダイヤル
１０．計量枡
１１．充填口
１２．放出口
１３．枡口
１４．容器蓋天板開口部
１５．回転板面
１６．誘導溝
１７．誘導ピン
【図１】
2011237396.tif 000003
【図２】
2011237396.tif 000004
【図３】
2011237396.tif 000005
【図４】
2011237396.tif 000006
【図５】
2011237396.tif 000007
【図６】
2011237396.tif 000008
【図７】
2011237396.tif 000009
【図８】
2011237396.tif 000010
【図９】
2011237396.tif 000011
【図１０】
2011237396.tif 000012
【図１１】
2011237396.tif 000013